(57)【特許請求の範囲】
【請求項１】
空気圧式廃棄物搬送システムのチャネルセクション内に廃棄物を送り込んで処理する方法であって、該廃棄物は、該空気圧式廃棄物搬送システムの少なくとも２つの投入点（１）の投入開口（２）から投入コンテナー（１０）内に送り込まれ、前記投入コンテナーと廃棄物搬送パイプ（１００）との間にあるチャネルセクション（２０、２１、２２）に送り込まれ、該廃棄物は、搬送空気とともに、前記チャネルセクション（２０、２１、２２）から前記廃棄物搬送パイプ（１００）を通って前記空気圧式廃棄物搬送システムの送出端に搬送され、前記送出端において前記廃棄物は前記搬送空気から分離され、
少なくとも１つの第２の投入点の前記チャネルセクション（２０（ＩＩ）、２０（ＩＩＩ）、２０（ＩＶ）...２２（ＩＩ）、２２（ＩＩＩ）、２２（ＩＶ））は、第１の投入点（１）と障壁手段（３０、３０’）との間で該第１の投入点の前記チャネルセクション（２０（Ｉ）、２１（Ｉ）、２２（Ｉ））に接続されており、
前記空気圧式搬送システムの前記送出端に前記廃棄物が搬送される前に、交換空気と、前記空気圧式廃棄物搬送システムの部分真空発生器によって生成された吸引作用との複合的な作用により該廃棄物の一部が前記障壁手段により前記チャネルセクション内で圧縮されてその容積が減少するように処理されることを特徴とする、方法。
【請求項２】
中間コンテナーとして機能する前記チャネルセクション（２０（Ｉ）、２１（Ｉ）、２２（Ｉ）．．．２０（ＩＶ）、２１（ＩＶ）、２２（ＩＶ））内において、前記廃棄物搬送パイプ（１００）から前記中間コンテナーとして機能する前記チャネルセクションにおける前記部分真空発生器の吸引側への通路を開放し、且つ前記廃棄物（ｗ１、ｗ２、ｗ３、ｗ４）に関して前記通路と反対側の交換空気用の通路を開放することによって、中間コンテナーとして機能する前記チャネルセクション（２０（Ｉ）、２１（Ｉ）．．．２２（Ｉ）、２０（ＩＶ）、２１（ＩＶ）、２２（ＩＶ））内に供給された前記廃棄物（ｗ１、ｗ２、ｗ３、ｗ４）の少なくとも一部が作用を受けることを特徴とする、請求項１に記載の方法。
【請求項３】
前記廃棄物（ｗ１、ｗ２、ｗ３、ｗ４）は、前記投入点（１）と前記廃棄物搬送パイプ（１００）との間に配置された中間コンテナーとして機能する前記チャネルセクション（２０（Ｉ）、２１（Ｉ）、２２（Ｉ）．．．２０（ＩＶ）、２１（ＩＶ）、２２（ＩＶ））内で作用を受け、そこから、少なくとも１つの前記第１の投入点の前記チャネルセクション（２０（Ｉ）、２１（Ｉ）、２２（Ｉ））は、少なくとも部分的に、鉛直方向から水平な方向に延びることを特徴とする、請求項１又は２に記載の方法。
【請求項４】
前記廃棄物（ｗ１、ｗ２、ｗ３、ｗ４）は、各投入点（１、１０１、１０２、１０３、１０４）から投入される廃棄物の中間コンテナーであるチャネルセクション（２０（Ｉ）、２１（Ｉ）、２２（Ｉ）．．．２０（ＩＶ）、２１（ＩＶ）、２２（ＩＶ））内に送り込まれ、前記廃棄物は、前記中間コンテナーである前記チャネルセクションにおいて第１から第４のフェーズの段階的な作用を受け、
該第１のフェーズにおいて、前記廃棄物は、前記投入点（１）の前記投入開口（２）から中間コンテナーとして機能する前記チャネルセクション（２０（Ｉ）、２１（Ｉ）、２２（Ｉ）．．．２０（ＩＶ）、２１（ＩＶ）、２２（ＩＶ））内に主に重力によって送り込まれ、
該第２のフェーズにおいて、前記廃棄物は、前記障壁手段（３０、３０’）に抗して前記チャネルセクション内を搬送され、前記吸引と前記交換空気との前記複合的な作用によって圧縮され、
該第３のフェーズにおいて、必要に応じて更なる前記廃棄物が、前記投入点の前記投入開口から中間コンテナーとして機能する前記チャネルセクション内に重力によって送り込まれ、
該第４のフェーズにおいて、前記中間コンテナー内にある前記廃棄物（ｗ、ｗ１、ｗ２、ｗ３、ｗ４）が、前記吸引と前記チャネルセクション（２０（Ｉ）、２１（Ｉ）、２２（Ｉ）．．．２０（ＩＶ）、２１（ＩＶ）、２２（ＩＶ））から前記廃棄物搬送パイプ（１００）内への交換空気との前記複合作用によって搬送され前記空気圧式廃棄物搬送システムの前記送出端に向かって搬送されるように前記障壁手段が機能することを特徴とする、請求項１〜３のいずれか１項に記載の方法。
【請求項５】
弁（６、６０）を所定の時間開放することにより前記交換空気の進入が可能にされ、前記廃棄物（ｗ、ｗ１、ｗ２、ｗ３、ｗ４）が圧縮され搬送されることを特徴とする、請求項１〜４のいずれか１項に記載の方法。
【請求項６】
前記廃棄物が圧縮される際、又は前記廃棄物が搬送される際に、前記交換空気の通路（６３）は開放され、前記交換空気の通路の流れ開口は、前記空気圧式廃棄物搬送システムの前記部分真空発生器の前記吸引の作用の始点となるチャネルセクションの流れ断面積よりも小さいことを特徴とする、請求項１〜５のいずれか１項に記載の方法。
【請求項７】
前記投入点（１）と前記廃棄物搬送パイプ（１００）との間には、廃棄物搬送方向において互いから或る距離を置いて複数の前記障壁手段（３０、３０’）があり、
前記廃棄物は、まず前記投入点に近い方の第１の障壁手段（３０）まで給送され、前記第１の障壁手段を用いて、前記廃棄物が圧縮され、
その後、前記投入点に近い方の前記第１の障壁手段（３０）の障壁部が、中間コンテナーとして機能する前記チャネルセクション内に延出しない位置に配置され、前記廃棄物が第２の障壁手段（３０’）に搬送され、前記投入点（１）から遠い方の前記第２の障壁手段（３０’）を用いて、前記廃棄物が圧縮されることを特徴とする、請求項１〜６のいずれか１項に記載の方法。
【請求項８】
前記廃棄物が前記障壁手段の地点から前記廃棄物搬送パイプに向かって搬送される際に、前記障壁手段（３０、３０’）の付近に前記交換空気がもたらされることを特徴とする、請求項１〜７のいずれか１項に記載の方法。
【請求項９】
前記廃棄物（ｗ１．．．４）は、そのサイズが元の体積から３０％〜７０％圧縮されることを特徴とする、請求項１〜８のいずれか１項に記載の方法。
【請求項１０】
前記障壁手段（３０、３０’）に関連して交換空気弁（３１）が配置されており、前記交換空気弁は、少なくとも前記廃棄物が前記廃棄物搬送パイプ（１００）に向かって搬送され前記障壁手段（３０、３０’）の障壁部が配置されている際に、前記チャネルセクション内への前記交換空気の進入を可能にすることを特徴とする、請求項１〜９のいずれか１項に記載の方法。
【請求項１１】
中間コンテナーとして機能する前記チャネルセクション（２０、２１、２２）は、地表面（ｓ）からおおよそ１メートル〜２．５メートルの深さに設置されていることを特徴とする、請求項１〜１０のいずれか１項に記載の方法。
【請求項１２】
複数の投入点が存在し、
第１のフェーズにおいて、前記廃棄物（ｗ）は、各投入点から、中間コンテナーとして機能する各投入点の前記チャネルセクション（２０（Ｉ）、２１（Ｉ）、２２（Ｉ）...２０（ＩＶ）、２１（ＩＶ）、２２（ＩＶ））内に主に重力により送り込まれ、
第２のフェーズにおいて、前記廃棄物は、前記障壁手段（３０、３０’）の障壁部に抗して前記チャネルセクション内を搬送され、吸引と交換空気との前記複合的な作用により圧縮され、
第３のフェーズにおいて、必要に応じて更なる前記廃棄物が、前記投入点の前記投入開口から中間コンテナーとして機能する前記チャネルセクション内に重力により送り込まれ、
第４のフェーズにおいて、前記中間コンテナー内にある前記廃棄物（ｗ、ｗ１、ｗ２、ｗ３、ｗ４）及び／又は前記圧縮された廃棄物（ｃｗ、ｃｗ１、ｃｗ２、ｃｗ３、ｃｗ４）が、吸引と交換空気との前記複合的な作用により前記チャネルセクション（２０（Ｉ）、２１（Ｉ）、２２（Ｉ）...２０（ＩＶ）、２１（ＩＶ）、２２（ＩＶ））から前記廃棄物搬送パイプ（１００）に搬送され、更に前記空気圧式廃棄物搬送システムの前記送出端に向かって搬送されるように、前記障壁手段が機能することを特徴とする、請求項１〜１１のいずれか１項に記載の方法。
【請求項１３】
前記廃棄物は、中間コンテナーとして機能する前記チャネルセクションから前記廃棄物搬送パイプに搬送され、必要であればいつでも、先行して搬送される前記廃棄物の後で、別の種類の廃棄物が前記チャネルセクション内に搬送されて前記チャネルセクション又は前記廃棄物搬送パイプ内が清掃されることを特徴とする、請求項１〜１２のいずれか１項に記載の方法。
【請求項１４】
先行して搬送される前記廃棄物が混合廃棄物（ｗ１）の際には、次に搬送される廃棄物は紙（ｗ２）であり、
先行して搬送される前記廃棄物が生物分解性廃棄物（ｗ３）の際には、次に搬送される廃棄物は板紙（ｗ４）、紙（ｗ２）又は混合廃棄物（ｗ１）であり、
先行して搬送される前記廃棄物が板紙（ｗ４）の際には、次に搬送される廃棄物は混合廃棄物（ｗ１）又は紙（ｗ２）であることを特徴とする、請求項１３に記載の方法。
【請求項１５】
まず、前記第１の投入点の中間コンテナーとして機能する前記チャネルセクション（２０（Ｉ）、２１（Ｉ）、２２（Ｉ））からの前記廃棄物が、前記廃棄物搬送パイプ内に排出され、
次に、或る他の投入点又は複数の投入点の中間コンテナーとして機能する前記チャネルセクション（２０（ＩＩ）、２０（ＩＩＩ）、２０（ＩＶ）...２２（ＩＩ）、２２（ＩＩＩ）、２２（ＩＶ））からの前記廃棄物が、中間コンテナーとして機能する前記チャネルセクションから前記廃棄物搬送パイプに向かっての前記廃棄物の排出が完了するまで連続して排出されることを特徴とする、請求項１〜１４のいずれか１項に記載の方法。
【請求項１６】
前記障壁手段は、少なくとも２つの位置間で可動な障壁部を有し、第１の位置では、前記障壁部が前記チャネルセクションのチャネル空間内に延出し、第２の位置では、前記障壁部が前記チャネルセクションの前記チャネル空間内に延出せず、前記チャネル空間内の交換空気流が前記障壁部を通り抜けることができ、又は、
前記障壁手段は回転成形機であり、そのハンドリング手段は、前記廃棄物の前記障壁手段として用いられる際には、前記チャネルセクション（２２）から前記搬送パイプ（１００）に向かって物質を供給しないことを特徴とする、請求項１〜１５のいずれか１項に記載の方法。
【請求項１７】
空気圧式廃棄物搬送システムのチャネルセクション内に廃棄物を送り込んで処理する装置であって、前記装置は、該空気圧式廃棄物搬送システムの少なくとも２つの投入点（１）を備え、前記投入点のそれぞれが、投入コンテナー（１０）及び前記投入コンテナーと廃棄物搬送パイプ（１００）との間に配置された前記チャネルセクション（２０、２１、２２）へ通じる投入開口（２）を有し、前記チャネルセクションは中間コンテナーとして機能し、前記廃棄物は前記中間コンテナーから前記廃棄物搬送パイプ（１００）を介して前記空気圧式廃棄物搬送システムの送出端に搬送され、前記送出端において前記廃棄物が搬送空気から分離するようにされており、前記装置は、部分真空発生器の吸引側に接続されて吸引作用する前記廃棄物搬送パイプ（１００）に接続されており、
前記装置は、前記投入点（１）と前記廃棄物搬送パイプ（１００）との間の前記チャネルセクション（２０（Ｉ）、２１（Ｉ）、２２（Ｉ）...２０（ＩＶ）、２１（ＩＶ）、２２（ＩＶ））に配置される少なくとも１つの障壁手段（３０）を備え、
前記障壁手段は、前記廃棄物の少なくとも大部分を停止させると共に、前記チャネルセクション（２０（Ｉ）、２１（Ｉ）、２２（Ｉ）...２０（ＩＶ）、２１（ＩＶ）、２２（ＩＶ））において、前記部分真空発生器により生成される吸引と交換空気との複合的な作用により、搬送される前記廃棄物（ｗ）の少なくとも一部のサイズの圧縮を行うことができるように、空気流が通過するか又は通り抜けることを可能にし、
少なくとも１つの第２の投入点の前記チャネルセクション（２０（ＩＩ）、２０（ＩＩＩ）、２０（ＩＶ）...２２（ＩＩ）、２２（ＩＩＩ）、２２（ＩＶ））は、１つの第１の投入点（１）と前記障壁手段（３０、３０’）との間で該１つの第１の投入点の前記チャネルセクション（２０（Ｉ）、２１（Ｉ）、２２（Ｉ））に接続されていることを特徴とする、装置。
【請求項１８】
少なくとも１つの第２の投入点と前記第１の投入点の前記チャネルセクション（２０（Ｉ）、２１（Ｉ）、２２（Ｉ））との間で、該少なくとも１つの第２の投入点の前記チャネルセクション（２０（ＩＩ）、２０（ＩＩＩ）、２０（ＩＶ）...２２（ＩＩ）、２２（ＩＩＩ）、２２（ＩＶ））に更なる障壁手段（３０）が配置されていることを特徴とする、請求項１７に記載の装置。
【請求項１９】
前記第１の投入点の前記チャネルセクション（２０（Ｉ）、２１（Ｉ）、２２（Ｉ））は、廃棄物搬送方向における長さが、１つの第２の投入点の前記チャネルセクション（２０（ＩＩ）、２０（ＩＩＩ）、２０（ＩＶ）...２２（ＩＩ）、２２（ＩＩＩ）、２２（ＩＶ））の前記廃棄物搬送方向における長さよりも長いことを特徴とする、請求項１７又は１８に記載の装置。
【請求項２０】
前記装置は、前記チャネルセクション（２０、２１、２２）から前記部分真空発生器の前記吸引側への接続を開閉する手段、及び／又は、前記投入点と前記廃棄物（ｗ）との間において、交換空気用の通路を開閉して前記チャネルセクション内に交換空気を調節して導く交換空気手段（６’、６０）を備えることを特徴とする、請求項１７〜１９のいずれか１項に記載の装置。
【請求項２１】
前記装置は、前記投入点（１）と前記廃棄物搬送パイプ（１００）との間に配置されたチャネルセクション（２０、２１、２２）を備え、前記チャネルセクションは、ほぼ水平なチャネルセクションを含み、前記チャネルセクションは中間コンテナーとして機能することを特徴とする、請求項１７〜２０のいずれか１項に記載の装置。
【請求項２２】
前記中間コンテナーの容積が、前記投入点（１）から前記障壁手段（３０）までの距離によって決まっていることを特徴とする、請求項１７〜２１のいずれか１項に記載の装置。
【請求項２３】
前記投入点（１）と前記廃棄物搬送パイプとの間には、廃棄物搬送方向において互いから或る距離をおいた複数の障壁手段（３０、３０’）が配置されていることを特徴とする、請求項１７〜２２のいずれか１項に記載の装置。
【請求項２４】
前記装置は、前記障壁手段（３０、３０’）付近に交換空気をもたらす手段（１７、１８、３１、３３）を備えることを特徴とする、請求項１７〜２３のいずれか１項に記載の装置。
【請求項２５】
前記障壁手段（３０、３０’）に関連して交換空気弁（３１）が配置されており、前記交換空気弁は、開放している際に、前記障壁手段の地点又はその付近から前記チャネルセクション内への交換空気の進入を可能にすることを特徴とする、請求項１７〜２４のいずれか１項に記載の装置。
【請求項２６】
前記装置は、前記投入点の前記投入開口（２）と中間コンテナーとして機能する前記チャネルセクションとの間に配置される放出弁（６）を備えることを特徴とする、請求項１７〜２５のいずれか１項に記載の装置。
【請求項２７】
前記装置は、前記第１の投入点の前記チャネルセクションの前記障壁手段（３０、３０’）と前記廃棄物搬送パイプ（１００）との間に配置される放出弁（５０）を備えることを特徴とする、請求項１７〜２６のいずれか１項に記載の装置。
【請求項２８】
前記装置は、前記投入点（１）の前記投入コンテナー（１０）と前記投入点の前記投入開口（２）との間に配置される遮断手段（６’）を備えることを特徴とする、請求項１７〜２７のいずれか１項に記載の装置。
【請求項２９】
前記投入点（１）には、前記投入コンテナー（１０）への又は中間コンテナーとして機能する前記チャネルセクション（２０、２１、２２）への前記交換空気の通路（６３）を開閉する交換空気弁（６０）が配置されていることを特徴とする、請求項１７〜２８のいずれか１項に記載の装置。
【請求項３０】
前記交換空気用の前記通路（６３）の流れ開口は、前記空気圧式廃棄物搬送システムの前記部分真空発生器の前記吸引が作用する前記チャネルセクションの流れ断面積よりも小さいことを特徴とする、請求項２９に記載の装置。
【請求項３１】
中間コンテナーとして機能する前記チャネルセクション（２０、２１、２２）は、地表面（ｓ）からおおよそ１メートル〜２．５メートルの深さに設置されるように配置されていることを特徴とする、請求項１７〜３０のいずれか１項に記載の装置。
【請求項３２】
前記障壁手段（３０、３０’）は、少なくとも２つの位置間で可動な障壁部を有し、第１の位置では、前記障壁部が前記チャネルセクションのチャネル空間内に延出し、第２の位置では、前記障壁部が前記チャネルセクションの前記チャネル空間内に延出せず、前記チャネル空間内の交換空気流が前記障壁部を通り抜けることができることを特徴とする、請求項１７〜３１のいずれか１項に記載の装置。
【請求項３３】
前記障壁手段は、前記チャネルセクション（２２）から前記廃棄物搬送パイプ（１００）の搬送方向に前記廃棄物の送り出しを行わない動作状態を呈する回転成形機であることを特徴とする、請求項１７〜３２のいずれか１項に記載の装置。
【請求項３４】
請求項１７〜３３のいずれか１項に記載の装置を備える、廃棄物搬送システム。
【発明の詳細な説明】
【技術分野】
【０００１】
本発明の目的は、請求項１のプリアンブルに記載の方法である。
【０００２】
本発明の別の目的は、請求項１７に記載の装置である。
【０００３】
また、本発明は、請求項３３に記載のシステムに関する。
【０００４】
本発明は、包括的には、空気圧式部分真空搬送システム等の物質搬送システムに関し、より詳細には、家庭廃棄物の搬送等の廃棄物の収集搬送に関する。このようなシステムは、とりわけ、特許文献１、特許文献２、特許文献３、特許文献４、特許文献５、特許文献６、特許文献７、特許文献８、及び特許文献９に提示されている。また本発明は、通常は重力によって、廃棄物を搬送する、例えば居住用建物内のより高い位置の投入開口からより低い位置の集積空間又は対応するコンテナーに搬送する、投入点又は廃棄物シュート等の廃棄物供給手段に関する。
【背景技術】
【０００５】
廃棄物を配管内で圧力差又は吸引によって搬送するシステムが、当該技術において知られている。これらのシステムでは、廃棄物は、吸引によって配管内を長距離搬送される。これらのシステムにとって、部分真空装置を用いて圧力差を達成することが一般的である。この装置では、ファン、真空ポンプ、又はエジェクター装置等の部分真空発生器によって、搬送パイプ内に負圧がもたらされる。搬送パイプは、通常、少なくとも１つの弁手段を備える。この弁手段を開閉することにより、搬送パイプに進入する交換（replacement）空気を調節する。廃棄物投入点、例えば廃棄物コンテナー又は廃棄物シュートをシステムの廃棄物投入端において用いて、この廃棄物投入点に廃棄物等の物質を供給し、放出弁手段を開放することにより、この廃棄物投入点から搬送される物質を搬送パイプに搬送する。この場合、搬送パイプ内で作用する部分真空の助けによって達成される吸引作用と、また廃棄物シュートを介して作用する周囲空気圧とを用いて、例えば袋に詰められた廃棄物等の物質を廃棄物シュートから搬送パイプに搬送し、先に進めて受け取り点に搬送する。受け取り点において、搬送される物質は搬送空気から分離され、更に処理するために搬送されるか、又は例えば輸送コンテナーに搬送される。当該空気圧式廃棄物搬送システムは、人口密度の高い市街地区において特に好適に用いることができる。これらのタイプの地区には、高層建物がある。高層建物では、建物内に構成されている廃棄物シュート等の投入点を介して、廃棄物用空気圧式搬送システムに廃棄物が投入される。
【０００６】
投入点から廃棄物シュートを通じて鉛直方向においてより低い位置にあるコンテナーに物質を導くことができる。また、この投入点と中間コンテナーを接続することができる。投入点から供給される物質は、最初にこの中間コンテナーに導かれ、この廃棄物は、この中間コンテナーから先に進めて搬送配管に沿って受け取り点に搬送される。
【０００７】
廃棄物投入点の投入開口と放出弁との間にある中間コンテナーの容積は、通常、実施形態によって変動する。上記容積は、通常、１００リットル〜６００リットルとすることができる。中間コンテナーを用いることの利点は、中間コンテナーが投入点の収容能力を増大させることができることである。この場合、実際の搬送システムは頻繁に始動させる必要がない。搬送システムは、中間コンテナーに収集されている物質を搬送するように、適用現場に応じて１日に１回〜３回使用される。従来の中間コンテナーの利点はまた、より多くの廃棄物を同じ搬送サイクルで搬送することができるので、搬送システムのエネルギー消費を低減することができることである。従来の解決策の欠点の１つは、とりわけ、中間コンテナーの空間要件が大きいこと、特に投入パイプを中間コンテナーとして用いる場合に大きいことである。通常、中間コンテナーとして鉛直の姿勢で利用される投入パイプは長尺になり、その投入パイプを地中に設置するために、かなり深い掘削を行わなければならない。掘削作業、特にトレンチ（trench）を得るために爆破作業が必要な岩場における掘削作業は費用がかかる。掘削作業、特にトレンチを得るために爆破作業が必要な岩場における掘削作業は費用がかかる。当該技術分野で既知の解決策に係る一般的な中間コンテナーの設置深さは、２.５ｍ〜３.５ｍの範囲である。空気圧式廃棄物搬送システムの搬送配管の設置に際する一般的な設置深さは、これよりも浅く、１ｍ〜１.５ｍの範囲である。
【０００８】
さらに、搬送を意図される廃棄物又はリサイクル可能物質は、その体積に関してかなり多様である。したがって、多様な種類の廃棄物が、廃棄物投入ステーションの投入点の要件を定める。広い空間を占める物質種類は、多数の投入点及びそれらの投入点に接続された中間コンテナーを必要とする可能性がある。本発明の目的は、廃棄物搬送システムの投入点の中間コンテナー及び搬送配管に関する完全に新規のタイプの解決策を達成することである。この解決策により、従来技術の解決策の欠点が回避される。本発明の１つの目的は、中間コンテナーの収容能力を以前よりも効率的に使用することができる解決策を達成することである。
【先行技術文献】
【特許文献】
【０００９】
【特許文献１】国際公開第２００９／０８０８８０号
【特許文献２】国際公開第２００９／０８０８８１号
【特許文献３】国際公開第２００９／０８０８８２号
【特許文献４】国際公開第２００９／０８０８８３号
【特許文献５】国際公開第２００９／０８０８８４号
【特許文献６】国際公開第２００９／０８０８８５号
【特許文献７】国際公開第２００９／０８０８８６号
【特許文献８】国際公開第２００９／０８０８８７号
【特許文献９】国際公開第２００９／０８０８８８号
【発明の概要】
【課題を解決するための手段】
【００１０】
本発明に係る方法は、請求項１に記載の事項を主に特徴とする。
【００１１】
また、本発明に係る方法は、請求項２〜１６に記載の事項を特徴とする。
【００１２】
本発明に係る装置は、請求項１７に記載の事項を主に特徴とする。
【００１３】
また、本発明に係る装置は、請求項１８〜３２に記載の事項を特徴とする。
【００１４】
また、本発明に係るシステムは、請求項３３に記載の事項を特徴とする。
【００１５】
本発明に係る解決策は、多数の重要な利点を有する。本発明によれば、廃棄物のコンパクト化、すなわちサイズの圧縮が達成される。この場合、以前よりも多くの物質が中間コンテナーに収められる。サイズの圧縮率は、適用現場に応じて、廃棄物の種類及びリサイクル可能物質の種類に応じて３０％〜７０％とすることができる。中間コンテナーはまた、水平の姿勢に配置することもできるし、水平セクションを含むこともできる。この場合、そのために深い設置ピットは必要とされないが、廃棄物搬送配管には従来の掘削深さを用いることができる。１つの物質種類に属する中間コンテナーのチャネルセクションを、投入ステーションの少なくとも１つの他の投入点の中間コンテナーのチャネルセクション、通常は全ての投入点の中間コンテナーのチャネルセクションが接続されるように構成することにより、収集配管アセンブリが得られる。この場合、最も大きい中間コンテナー容積を必要とする物質種類の中間コンテナーを、浅い空間ではあるが大きい容積で形成することができる。この場合、同時に、１つの物質種類のための投入点の数を制限することができる。こうして、物質が障壁に対して圧縮される場合、物質の圧縮は、交換空気と廃棄物用空気圧式搬送システムの部分真空発生器によってもたらされる吸引との組合せ作用として達成される。障壁は、中間コンテナーセクションと搬送パイプとの間に配置される手段とすることができる。空気流が、この手段を通り抜けて又はこの手段の側方を迂回して移動することが可能である。障壁は、保持効果（support effect）をもたらすことにより、物質に作用する。これは主に、物質が障壁を通過するか又は障壁を通り抜けるのを、少なくともかなりの程度阻止する。本発明に係る解決策によれば、所望のサイズの中間コンテナーであって、１つ又は複数の障壁及び空気流を用いて、該コンテナーに供給される物質のサイズを圧縮させることができる、中間コンテナーを得ることができる。交換空気の進入は、例えば投入点のコンテナー部に配置された別個の交換空気弁によって調節することができる。交換空気弁を開閉することにより、中間コンテナーにおける物質の移動の開始を調節することができる。交換空気の通路を開閉するように交換空気弁を配置することにより、その流れ断面積は、該通路が接続されかつ吸引作用の始点となるチャネル部の流れ断面積よりも小さくなり、圧縮に充分な交換空気流が達成される。同時に、複数の投入点の中間コンテナーの物質を同時に圧縮、すなわちコンパクト化することができる。この場合、時間及びエネルギーのかなりの節減が達成される。圧縮は、物質がシステムの或る他の投入点又は中間コンテナーから搬送されるのと少なくとも部分的に同時に行うことができる。別個の交換空気弁は、パイロット弁として用いることもできる、すなわち、まず交換空気弁を開放し、その後にのみ放出弁又はより大きい遮断手段を開放することによって用いることもできる。この場合、生じ得る圧力による衝撃及び／又は騒音問題を低減することができる。達成される別の利点は、実際の放出弁の開放が、パイロット弁を用いない場合よりも小さい力で可能であることである。１つの実施形態によれば、障壁は、中間コンテナーのコン���ナー空間に設けられた、力を受ける手段である。該手段は、駆動装置によって、コンテナー空間に配置し、またコンテナー空間からどかすことができる。適用現場に応じて、障壁は、物質の成形機、例えばフォーマッターとすることもできる。本発明の１つの実施形態によれば、障壁付近に交換空気をもたらす手段は、少なくとも障壁の退避後に物質が搬送配管内を搬送される場合、障壁に接続された構成とすることができる。この場合、交換空気を搬送される大部分の物質内にもたらすことができ、これが搬送パイプ内での物質の搬送効率を高める。本発明に係る方法では、複数の物質種類を移動させる際、搬送配管を清掃する物質種類を時々搬送する構成により、物質種類を効率的に搬送することができる。例えば、生物分解性廃棄物の後に板紙が搬送されるか、又は混合廃棄物の後に紙が搬送される。
【００１６】
本発明によれば、物質を供給するのに、廃棄物レセプタクル又は廃棄物シュート等の廃棄物用投入点である投入点を用いることができる。本発明に係る方法及び装置は、袋内に配置された（arranged）廃棄物等の廃棄物の搬送システムに関して特によく適している。
【００１７】
以下では、添付の図面を参照しながら一実施形態の助けによって、本発明をより詳細に記載する。
【図面の簡単な説明】
【００１８】
【図１】第１の動作状態における、本発明に係る装置の一実施形態の概略的な部分断面図である。
【図２】第２の動作状態における、本発明に係る装置の一実施形態の概略的な部分断面図である。
【図３】第３の動作状態における、本発明に係る装置の一実施形態の概略的な部分断面図である。
【図４】第４の動作状態における、本発明に係る装置の一実施形態の概略的な部分断面図である。
【図５】第５の動作状態における、本発明に係る装置の一実施形態の概略的な部分断面図である。
【図６】第６の動作状態における、本発明に係る装置の一実施形態の概略的な部分断面図である。
【図７】第７の動作状態における、本発明に係る装置の一実施形態の概略的な部分断面図である。
【図８】第８の動作状態における、本発明に係る装置の一実施形態の概略的な部分断面図である。
【図９】本発明の装置を第１の方向から示す図である。
【図１０】本発明の装置を第２の方向から示す図である。
【図１１】本発明の装置を図１２の方向Ｂから示す図である。
【図１２】本発明の装置を図１１の方向Ａから示す図である。
【図１３】本発明の装置の一部を示す図である。
【図１４】本発明の装置の一部の断面図である。
【図１５】本発明の一実施形態の交換空気弁を示し、２つの動作状態のうち、（ａ）は開放された交換空気通路を、（ｂ）は閉鎖された交換空気通路を示す図である。
【図１６ａ】様々な動作状態における、本発明の一実施形態に係る装置を示す図である。
【図１６ｂ】様々な動作状態における、本発明の一実施形態に係る装置を示す図である。
【図１６ｃ】様々な動作状態における、本発明の一実施形態に係る装置を示す図である。
【図１６ｄ】様々な動作状態における、本発明の一実施形態に係る装置を示す図である。
【図１６ｅ】様々な動作状態における、本発明の一実施形態に係る装置を示す図である。
【図１６ｆ】様々な動作状態における、本発明の一実施形態に係る装置を示す図である。
【図１６ｇ】様々な動作状態における、本発明の一実施形態に係る装置を示す図である。
【発明を実施するための形態】
【００１９】
図１〜図８は、本発明に係る装置の概略図を示している。本装置は、通常、複数の投入点１を有する少なくとも１つの投入ステーションを備える。図１〜図８は、廃棄物用空気圧式パイプ搬送システムの投入ステーションを示しており、このステーションは少なくとも２つの投入点１を有する。図の実施形態では、４つの投入点１が存在する。投入点１は、通常、複数の異なる物質種類用のものである。このように、図１〜図８は、図の実施形態ではそれぞれが異なる物質種類用に意図された、４つの投入点１を示している。適用現場に応じて、投入ステーションにはより多数又はより少数の投入点が存在することができる。また、投入ステーションの投入点１への供給を意図される物質の種類がより多数又はより少数とすることができる。異なる物質種類用に意図された投入点１は、図では異なる参照符号１０１、１０２、１０３、１０４で示されている。物質種類ｗ１、ｗ２、ｗ３、ｗ４は、図１の実施形態では、ｗ１が混合廃棄物、ｗ２が紙、ｗ３が生物分解性廃棄物、そしてｗ４が板紙である。適用現場に応じて、他の物質種類、例えば、プラスチック、ガラス、金属等があってもよい。各投入点１には、廃棄物又はリサイクル可能物質等の物質ｗ１、ｗ２、ｗ３、ｗ４を投入点の投入コンテナー１０内に供給する投入開口２があり、先に進めて中間コンテナー２０、２１、２２を介して物質搬送パイプ１００内に供給される。各投入点の中間コンテナーのチャネル部は、図では以下のように示されており、第１の投入点１０１のチャネル部が２０（Ｉ）、２１（Ｉ）、２２（Ｉ）であり、第２の投入点のチャネル部が２０（ＩＩ）、２１（ＩＩ）、２２（ＩＩ）であり、これに対応して、第３の投入点のチャネル部が２０（ＩＩＩ）、２１（ＩＩＩ）、２２（ＩＩＩ）であり、第４の投入点のチャネル部が２０（ＩＶ）、２１（ＩＶ）、２２（ＩＶ）である。図の実施形態では、投入開口２には開閉可能なハッチ３等が接続されており、このハッチは、閉鎖している場合は投入開口２を覆い、開放している場合は投入開口を介した投入点のコンテナー空間内及び先に進めて中間コンテナー内への物質ｗの供給を可能にする。例えば、投入開口のハッチ３を駆動するために、シリンダー−ピストンコンビネーション（cylinder-piston combination）等のアクチュエーターが配置されている。ハッチ３は、アクチュエーターに対して、少なくとも２つの位置間、すなわち、投入開口２を覆う第１の位置と、投入開口が開放される第２の位置との間で可動に構成されている。いくつかの実施形態のハッチは、手動で開閉可能とすることができることが想定され得る。
【００２０】
図では、投入点１は、地表面レベル上又は床レベル上等、載置面ｓ上に構成される。連結セクション等のチャネルが、投入点の投入コンテナー１０から、上記面ｓの下方にあるチャネル部２０内に延びる。投入コンテナー１０と、チャネル部２０によって形成される中間コンテナーとの間には連結部１５があり、この連結部を用いて投入コンテナーが中間コンテナー２０に接続される。
【００２１】
投入点は筐体１３を有し、筐体１３は、投入点の外壁を形成する。筐体１３には、投入開口２が形成され、交換空気を筐体の内部に導く開口１４（図９に示す）も形成されている。
【００２２】
このように、図１〜図８は、４つの並列した投入点１を示している。これらの投入点１のそれぞれは、物質搬送方向における投入コンテナー１０の延長部である、各自の中間コンテナーセクション２０を有する。異なる投入点の中間コンテナーセクションは、以下、参照符号２０（Ｉ）、２０（ＩＩ）、２０（ＩＩＩ）、及び２０（ＩＶ）で示される。投入点の中間コンテナーを形成するチャネルセクションは、１つの第１の投入点１０１の中間コンテナーが、投入点１０１と実際の搬送パイプ１００との間にあるチャネル部２０（Ｉ）、２１（Ｉ）、２２（Ｉ）から形成される構成に作られている。図の実施形態では、中間コンテナー２０（Ｉ）は、まず、投入点の連結部１５に接続された鉛直チャネルセクション２０（Ｉ）と、鉛直チャネルセクションを中間コンテナーの水平チャネルセクション２２（Ｉ）に連結する湾曲チャネルセクション２１（Ｉ）とを含む。
【００２３】
投入点１と搬送パイプ１００との間にある第１の投入点の中間コンテナーセクション、最も好適には水平チャネルセクション２２（Ｉ）には、障壁手段３０が配置され、図１の実施形態のこの障壁手段は、駆動手段３４、３５によって少なくとも２つの位置間で可動である。通常、障壁手段３０は、障壁手段３０が中間コンテナーのチャネル部の物質通過空間内に延出する第１の位置と、障壁手段が中間コンテナーのチャネル部の物質通過空間内に本質的に延出しない第２の位置との間で動かすことができる。障壁手段３０は、第１の位置では、交換空気流が障壁手段を通過するか又は障壁手段を通り抜けることを可能にするが、搬送を意図される物質ｗ１、ｗ２、ｗ３、ｗ４の少なくとも大部分が障壁手段を通過して又は障壁手段を通り抜けて搬送パイプ１００に向かうことを阻止するようになっている。
【００２４】
第２の投入点１０２の中間コンテナー２０（ＩＩ）は、例えば、連結部２３（ＩＩ）を用いて第１の投入点１０１の中間コンテナー２０（Ｉ）に、最も好適にはチャネルセクション２２（Ｉ）に接続される。第３の投入点１０３の中間コンテナー２０（ＩＩＩ）は、例えば、連結部２３（ＩＩＩ）を用いて第１の投入点１０１の中間コンテナー２０（Ｉ）に、最も好適にはチャネルセクション２２（Ｉ）に接続される。また、第４の投入点１０４の中間コンテナー２０（ＩＶ）は、例えば、連結部２３（ＩＶ）を用いて第１の投入点１０１の中間コンテナー２０（Ｉ）に、最も好適にはチャネルセクション２２（Ｉ）に接続される。したがって、第２の投入点１０２の中間コンテナー２０（ＩＩ）は、第１の投入点の中間コンテナーと媒体接続状態で接続される。第２の投入点の中間コンテナー２０（ＩＩ）は、物質搬送方向において障壁手段３０の手前で、第１の投入点１０１の中間コンテナー２０（Ｉ）に、最も好適にはそのチャネルセクション２２（Ｉ）に接続される。これに対応して、第３の投入点の中間コンテナー２０（ＩＩＩ）及び第４の投入点の中間コンテナー２０（ＩＶ）は、物質搬送方向においてチャネルセクション２２（Ｉ）に配置された障壁手段３０の手前で、第１の投入点の中間コンテナー２０（Ｉ）と媒体接続状態で、最も好適にはチャネルセクション２２（Ｉ）に接続される。このように、図の実施形態では、第２の投入点、第３の投入点、及び第４の投入点の中間コンテナーのチャネルセクションは、図中その底部から、第１の投入点の中間コンテナーの図では水平なチャネルセクション２２（Ｉ）に接続されている。
【００２５】
図１〜図８の実施形態では、第２の投入点の中間コンテナー２０（ＩＩ）のチャネルに、障壁手段３０を配置することができる。通常、この障壁手段は、障壁手段３０が中間コンテナーのチャネル部の物質通過空間内に延出する第１の位置と、障壁手段が中間コンテナーのチャネル部の物質通過空間内に本質的に延出しない第２の位置との間で動かすことができる。これに対応して、第３の投入点の中間コンテナー２０（ＩＩＩ）のチャネル及び第４の投入点の中間コンテナー２０（ＩＶ）のチャネルにも、障壁手段３０を配置することができる。通常、この障壁手段は、障壁手段３０が中間コンテナーのチャネル部の物質通過空間内に延出する第１の位置と、障壁手段３０が中間コンテナーのチャネル部の物質通過空間内に本質的に延出しない第２の位置との間で動かすことができる。
【００２６】
図１〜図８の実施形態では、第１の投入点１０１の中間コンテナーは、実際には、第２の投入点、第３の投入点、及び第４の投入点の中間コンテナーに比較して大きい。なぜなら、第１の投入点１０１の中間コンテナーは、図では水平な長いチャネルセクション２２（Ｉ）を含むからである。
【００２７】
図１〜図８の実施形態では、物質移動方向において専らチャネルセクション２２（Ｉ）の障壁手段３０の後に、通常は搬送パイプ１００側のセクションに、１つの投入点／いくつかの投入点の放出弁５０、及び／又は、１つの中間コンテナー／いくつかの中間コンテナーの放出弁５０が配置され得る。この場合、投入点は、投入点と中間コンテナーとの間に弁を必要としない。図によれば、投入点１の投入開口２にはハッチ３が接続されており、このハッチは、例えば駆動装置によって開閉される。ハッチ３が開放している場合、投入開口２を介して投入点の投入コンテナー１０内に物質ｗ１．．．ｗ４を供給することができる。物質は、主に重力により、投入コンテナー１０から、図では主に鉛直の中間コンテナーの第１のチャネル部２０内にまず移動される。第１の投入点の鉛直チャネルセクションの後には湾曲チャネルセクション２１（Ｉ）があり、湾曲チャネルセクション２１（Ｉ）は、中間コンテナーの水平チャネルセクション２２（Ｉ）に接続している。水平チャネルセクション２２（Ｉ）と搬送パイプ１００との間には障壁手段３０があり、障壁手段３０と搬送パイプとの間には放出弁５０が配置されている。放出弁の遮断手段５０は、少なくとも２つの位置、すなわち、中間コンテナーから搬送パイプ１００への通路が閉鎖される第１の位置と、中間コンテナーから搬送パイプへの通路が開放される第２の位置とを有する。放出弁の駆動装置は、図ではシリンダー−ピストンコンビネーション５４、５５である。放出弁は、連結部５２を用いて、例えばフランジ付き継手又は他の何らかの好適な連結方法を用いて、中間コンテナーのチャネルセクション２２（Ｉ）と搬送パイプ１００との間にあるチャネルセクションに配置される。放出弁は、例えばゲート弁とすることができる。ゲート弁は、国際公開第２００７／１３５２３７号又は国際公開第２０１０／０２９２１３号に示されているタイプであり、場合によっては圧力媒体を用いて、弁体の壁の間の空間を清掃する手段も含む。
【００２８】
図１は、図では簡略化してボールとして示す物質ｗ１、ｗ２、ｗ３、ｗ４が各投入点に供給された状況を示している。第１の投入点の物質は、主に重力により鉛直セクション２０（Ｉ）及び湾曲セクション２１（Ｉ）に移動し、ちょうど中間コンテナーの水平セクション２２（Ｉ）の始端に移動している。第２の投入点の中間コンテナー２０（ＩＩ）、第３の投入点の中間コンテナー２０（ＩＩＩ）、及び第４の投入点の中間コンテナー２０（ＩＶ）内の物質は、中間コンテナー内の、各チャネルセクションに配置された障壁手段３０のところまで移動している。
【００２９】
異なる物質種類ｗ１、ｗ２、ｗ３、ｗ４は異なる性質を有する。例えば、供給される廃棄物の合計量の比は、各物質種類で様々である。供給される廃棄物を圧縮した場合のコンパクト化率も様々である。図１の実施形態では、図１の状況で（体積基準で）最も供給量が多いのは、第１の投入点１０１の物質種類ｗ１、例えば、混合廃棄物である。図１の状況では、第２の投入点１０２を介して供給される第２の物質種類ｗ２、例えば紙と、第４の投入点１０４を介して供給される第４の物質種類ｗ４、例えば板紙とが、（体積基準で）約同じ量供給されている。図１の実施形態において、（体積基準で）最も供給量が少ないのは、第３の投入点１０３を介して供給された第３の物質種類ｗ３、例えば生物分解性廃棄物である。中間コンテナーは、まず第２の投入点の中間コンテナー２０（ＩＩ）及び第４の投入点の中間コンテナー２０（ＩＶ）内に、既にかなり大量の物質ｗ２、ｗ４を有する。この場合、当該の状況において更なる物質を供給することができない状況が近くなり始める。一方で、物質ｗ３は、第３の投入点内、及び第３の投入点の中間コンテナー２０（ＩＩＩ）内に依然として容易に収められる。
【００３０】
空気圧式廃棄物搬送システム内の部分真空発生器の吸引側は、搬送パイプ１００内に作用するように接続されるが、図１の状況では、吸引は作用可能でない。なぜなら、弁手段５０の遮断手段が、搬送パイプ１００から第１の中間コンテナーの水平チャネルセクション２２（Ｉ）への接続部を閉鎖する位置にあるからである。
【００３１】
図２は、放出弁の遮断手段５０が駆動装置５４、５５、５６によって第２の位置に移動された動作状態を示している。この場合、搬送パイプ１００の方向からの部分真空発生器の吸引が水平チャネルセクション２２（Ｉ）を介して作用可能である。
【００３２】
図では、第２の投入点１０２の交換空気弁６０及びこれに対応して第４の投入点の交換空気弁６０が開放している場合、吸引は、交換空気とともに、第２の投入点の中間コンテナー２０（ＩＩ）内にある物質種類ｗ２及びこれに対応して第４の投入点の中間コンテナー２０（ＩＶ）内にある物質種類ｗ４に作用可能であり、上記物質種類を障壁手段３０に対して圧縮する。この場合、物質は中間コンテナー内でコンパクト化する、すなわち凝集する。この場合、放出弁５０はしばらくの間開放され、重力によって中間コンテナー内に搬送される物質を障壁手段３０に対してコンパクト化する。通常、放出弁は、或る所定の時間、適用現場に応じて例えば５秒間〜１０秒間、開放される。したがって、中間コンテナーのチャネルセクションに配置された障壁３０は、中間コンテナーのチャネルセクション内にある場合、廃棄物が障壁３０を通過して搬送パイプ１００に向かって移動するのを本質的に阻止する。この場合、廃棄物ｗはコンパクト化される、すなわち、吸引と交換空気流との組合せ作用により、障壁に対してまとめて圧縮される。圧縮の結果として、実施形態及び廃棄物の性質に応じて、中間コンテナー内の廃棄物の体積が大幅に減少する。或る場合では、コンパクト化された廃棄物ｃｗの体積は、コンパクト化前の体積に比べて３０％〜５０％減少する。図２では、第２の投入点の中間コンテナー２０（ＩＩ）内の物質ｃｗ２がコンパクト化され、すなわち凝集され、これに対応して、第４の投入点の中間コンテナー２０（ＩＶ）内には、コンパクト化された物質ｃｗ４がある。
【００３３】
図３は、第２の投入点１０２の交換空気弁６０及び第４の投入点１０４の交換空気弁６０が閉鎖され、これに対応して第１の投入点１０１の交換空気弁６０が開放されている動作状態を示している。放出弁５０の遮断手段が第２の位置にあり、搬送パイプの方向からの吸引が作用可能である場合、第１の投入点１０１の中間コンテナー内にある物質ｗ１は、中間コンテナーの水平チャネルセクション２２（Ｉ）内で、搬送パイプに向かって障壁手段３０に対して移動する。中間コンテナーのチャネルセクション２２（Ｉ）に設けられた障壁３０は、中間コンテナーのチャネルセクション内にある場合、廃棄物が障壁３０を通過して搬送パイプ１００に向かって移動するのを本質的に阻止する。この場合、廃棄物ｗ１はコンパクト化される、すなわち、吸引と交換空気流との組合せ作用により、障壁３０に対してまとめて圧縮される。圧縮の結果として、実施形態及び廃棄物の性質に応じて、中間コンテナー２２（Ｉ）内の廃棄物の体積が大幅に減少する。或る場合では、コンパクト化された廃棄物ｃｗ１の体積は、コンパクト化前の体積に比べて３０％〜５０％減少する。良好にコンパクト化される物質は、例えばプラスチックボトルであり、いくつかの実施形態では独自の物質種類を形成することができる。
【００３４】
図３の動作状態の後は、図４の動作状態である。図４の動作状態では、放出弁の遮断手段５０は第１の位置に移動されている。遮断手段５０は、第１の位置では、搬送パイプ１００から中間コンテナーのチャネルセクション２２（Ｉ）への接続部を閉鎖する。この場合、吸引は、中間コンテナー内部に作用可能ではなく、投入点の投入開口から物質ｗ１、ｗ２、ｗ３、ｗ４を再度供給することができ、先に進めて中間コンテナー２０（Ｉ）、２０（ＩＩ）、２０（ＩＩＩ）、２０（ＩＶ）内に導く。先行の動作状態において行われた物質のコンパクト化のおかげで、中間コンテナーには空所がある。既に中間コンテナー内にある物質に加えて、場合によっては既に圧縮された物質の上に、更なる物質が通常の様式で供給される。
【００３５】
充分な物質が供給された場合、又は、投入ステーションの投入点の中間コンテナーの中身を搬送パイプ内に取り出すことが別様に望まれる場合、例えば中身取出しシーケンスを以下のように続けることができる。
【００３６】
図５は、第１の投入点１０１の中間コンテナーの中身取出しを示している。障壁手段３０は第２の位置に移動されている。障壁手段３０は、第２の位置では、中間コンテナーのチャネル空間２２（Ｉ）内に延出しない。放出弁５０は、遮断手段を第２の位置に移動させることにより開放される。この場合、搬送パイプから中間コンテナーのチャネル空間２２（Ｉ）内部に、部分真空発生器の吸引が作用可能である。第１の投入点１０１の交換空気弁６０は開放され、この場合、物質ｗ１、ｃｗ１は、吸引と交換空気流との作用により、搬送パイプ１００に向かって移動し始める。また、交換空気が、障壁手段３０に形成された交換空気投入開口３３から媒体チャネル２２（Ｉ）にもたらされる。図の実施形態では、取り出される第１の物質種類は混合廃棄物ｗ１である。
【００３７】
図６は、第２の投入点１０２の中身取出しを示している。第１の投入点の物質ｗ１、ｃｗ１が搬送パイプ１００内に移動された後、第２の投入点１０２の中間コンテナー２０（ＩＩ）のチャネル空間内にある障壁手段３０は、チャネル空間内に本質的に延出しない位置に移動される。この場合、中間コンテナー内の物質ｃｗ２、ｗ２は、第１の中間コンテナーのチャネル空間２２（Ｉ）を介して搬送パイプ１００に向かって移動し始める。第２の中間コンテナーの交換空気弁６０は開放され、第１の中間コンテナーの交換空気ダクト６０は閉鎖される。また、交換空気が、障壁手段３０に形成された交換空気投入開口３３から媒体チャネル２２（ＩＩ）にもたらされる。取り出される第２の物質種類ｗ２、ｃｗ２（図の実施形態では紙）により、搬送パイプの一部から、混合廃棄物であった先行の物質種類ｗ１、ｃｗ１の痕跡（traces）を除去することができる。
【００３８】
図７は、次の物質種類の取出しを示している。第３の投入点１０３の物質は、この実施形態ではコンパクト化されない。なぜなら、第３の投入点１０３の物質は、コンパクト化率が低いタイプであるからである。例えば生物分解性廃棄物は、このタイプの物質であり得る。第３の投入点１０３の中間コンテナー２０（ＩＩＩ）の中身取出しは、第２の投入点の中間コンテナーの中身取出しに対応して行われる。障壁手段３０は、中間コンテナーのチャネル空間から退けられる。投入点１０３内の交換空気ダクト６０は開放され、この場合、物質３は、第１の投入点の中間コンテナーのチャネル部２２（Ｉ）を介して搬送パイプ１００に向かって移動する。また、交換空気が、障壁手段３０に形成された交換空気投入開口３３から媒体チャネル２２（ＩＩＩ）内にもたらされる。この場合、第２の投入点１０２内の交換空気ダクト６０は閉鎖される。
【００３９】
図８は、第４の投入点１０４の中身取出しを示している。この場合、第４の中間コンテナー２２（ＩＶ）のチャネル空間内に延出する障壁手段３０は、障壁手段がチャネル空間内に本質的に延出しない位置に移動されている。投入点１０３内の交換空気ダクト６０は開放され、この場合、物質３は、第１の投入点の中間コンテナーのチャネル部２２（Ｉ）を介して搬送パイプ１００に向かって移動する。交換空気が、障壁手段３０に形成された交換空気投入開口３３から媒体チャネル２２（ＩＶ）内にもたらされる。取り出される第４の物質種類ｗ４、ｃｗ４（図の実施形態では板紙）により、搬送パイプの一部から、生物分解性廃棄物であった先行の物質種類ｗ３、ｃｗ３の痕跡を除去することができる。
【００４０】
中身取出しシーケンスを完了した場合、図１の状況に戻ることができ、投入点１０１、１０２、１０３、１０４の中間コンテナーの充填を再び開始することができる。
【００４１】
図９は、本発明に係る装置の第２の実施形態を示している。第２の実施形態では、第１の投入点１０１の中間コンテナーのチャネル部２０（Ｉ）、２１（Ｉ）、２２（Ｉ）に加えて、第２の投入点１０２、第３の投入点１０３、及び第４の投入点１０４の中間コンテナーのチャネル部も、主に鉛直線から逸脱する方向に配置されている。これらのチャネル部は、短い鉛直部２０（ＩＩ）、２０（ＩＩＩ）、２０（ＩＶ）を最初に有し、湾曲セクション２１（ＩＩ）、２１（ＩＩＩ）、２２（ＩＶ）と、水平セクション２２（ＩＩ）、２２（ＩＩＩ）、２２（ＩＶ）とを次に有することができる。この構成により、中間コンテナーが必要とする地下空間の高さを本質的に低減することができる。図は、障壁手段及び障壁手段の駆動手段用に意図された設置空間１８、すなわち設置トレンチも示している。図はチャネル部１７を更に示している。チャネル部１７は、交換空気を投入点の内部から設置トレンチ１８内に導くために、そして障壁手段の弁手段によって可能にされた場合、開口３３を介して当該投入点の中間コンテナーのチャネル空間内に導くために、障壁手段の設置トレンチ１８内まで延びる。
【００４２】
図９〜図１２の実施形態では、２つの障壁手段３０、３０’が、第１の投入点の中間コンテナーチャネル（channeling）２０（Ｉ）、２１（Ｉ）、２２（Ｉ）内に互いから或る距離を置いて配置されている。これにより、例えば複数のコンパクト化フェーズが可能になる。この場合、より多くの物質が中間コンテナー内に効率的に収められるようになる。図９及び図１０では、第１の投入点の第１の障壁手段３０は、第１の設置トレンチ内に配置される。交換空気は、第１の交換空気ダクト１７によって設置トレンチ内に導かれる。第２の障壁手段３０’は、チャネル部２２（Ｉ）内の、物質搬送方向において実際の物質搬送パイプ１００（図９及び図１０には図示せず）に近い方に配置される。
【００４３】
このように、本装置は、交換空気を中間コンテナーのチャネルセクション内に導く手段を備える。投入開口２は投入点１の筐体１３に形成され、この筐体は、物質を投入点の投入コンテナー内に供給するための投入点の外壁と、交換空気を筐体の内部に導くための開口１４（図９）とを形成する。交換空気は、格子型の開口１４を通過して筐体１３の内部に入り、先に進めて交換空気弁６０を介してコンテナー１０内に入る。
【００４４】
図９は、投入点の筐体１３に形成された、交換空気を筐体１３の内部に導く開口１４を示している。交換空気の大部分は、投入コンテナー１０を介して中間コンテナー２０、２１、２２のチャネル空間内に導かれ、廃棄物用空気圧式搬送システムの部分真空発生器の吸引が搬送パイプ１００から投入コンテナー内部に作用可能である場合、先に進めて搬送パイプ１００内に導かれる。本発明の一実施形態によれば、中間コンテナーのチャネルセクション２２内の障壁手段３０付近に、少なくとも１つの他の交換空気ダクト１６、１７が配置される。図９の実施形態のこの交換空気ダクトは、投入点１を始点として、例えば開口１６（例えば図１４又は図１６ａ〜図１６ｇに示す）を介して投入点１の筐体１３の内部を始点として構成される。障壁手段３０には弁手段３１が配置され、この弁手段は、第２の交換空気ダクト１７から中間コンテナーのチャネルセクション２２への媒体接続部を開放する。これは、投入点の一実施形態の内部図も示している図１４にも示されている。この適用形態に関して、図１４は、投入点の投入コンテナー１０の壁１０’にある交換空気ダクト及び交換空気弁６０の１つの実施形態を示している。投入点の形状及び動作は、適用現場に応じて様々とすることができる。この実施形態では、投入点１には、別個の交換空気弁６０が設けられている。別個の交換空気弁６０は、少なくとも２つの位置、すなわち、弁の遮断手段６１が、図１４及び図１５では投入コンテナー１０の壁に構成された交換空気用通路６３であるチャネル部を閉鎖する閉鎖位置と、交換空気用通路６３が開放される第２の位置とを有する。弁の遮断手段は、駆動装置６２によって駆動される。本発明の１つの実施形態に係る別個の交換空気弁６０が、図１５で２つの動作状態においてより詳細に示されている。図１５（ａ）では、交換空気通路が開放しており、図１５（ｂ）では交換空気通路６３が閉鎖している。別個の交換空気弁は、上述した少なくとも２つの位置間で遮断手段６１を動かすように構成された駆動装置６２を備える。交換空気弁６０の本体６４には開口が構成される。交換空気は、この開口から、弁の遮断手段６１によって開閉可能な通路６３の地点へと進む。駆動装置は、例えば媒体駆動シリンダー−ピストンユニット又は例えば電動駆動装置とすることができる。
【００４５】
交換空気を導くように障壁手段３０に接続して、第２の交換空気用通路１７が配置される。図１４によれば、第２の交換空気用通路１７は、投入点１の後、例えば連結部１５の後の物質通路の頂部から開始し、設置深部１８内に延びるように構成されている。障壁手段が第２の位置に移動し、開口３３を介したチャネル部２２への通路を開放するように障壁手段の弁手段３１が開放された場合、交換空気は、設置深部１８から交換空気通路及び開口３９（図５）を介して障壁手段３０付近に進む。障壁手段を駆動するために、アクチュエーターが配置されている。このアクチュエーターは、図１〜図８に示すシリンダーピストンコンビネーションとすることができる。図１〜図８では、シリンダー３４内で可動に配置されたピストン３６のピストンロッド３５上に弁手段及び障壁手段３３が配置されている。シリンダーは、例えば開口３７及び３８を介して導かれる圧力媒体によって駆動される。媒体ダクト及び媒体配管は示されていない。アクチュエーターは、何らかの他のタイプのアクチュエーター、例えば電動アクチュエーターとすることもできる。
【００４６】
本装置は、少なくとも２つの投入点１と、投入点１から搬送される廃棄物が内部に配置される中間コンテナーとして機能するチャネルセクション２０、２１、２１と、また、投入点から中間コンテナー内に廃棄物を搬送する手段とを備える。ここでは、物質は体積が小さくなるように圧縮される。廃棄物は、中間コンテナーとして機能するチャネルセクションから先に進めて空気圧式廃棄物搬送システムの搬送配管１００内に搬送される。搬送配管１００では、廃棄物は、搬送空気とともに、システムの廃棄物ステーション等の受け取り点に移動する。システムにおいて、搬送される廃棄物は、分離手段内で搬送空気から分離され、更なる処理に向けて又は輸送コンテナーに搬送される。空気圧式廃棄物搬送システムの動作は、ここではより詳細に記載しない。空気圧式廃棄物搬送システムの種々の例が、例えば、国際公開第２００９／０８０８８０号、同第２００９／０８０８８１号、同第２００９／０８０８８２号、同第２００９／０８０８８３号、同第２００９／０８０８８４号、同第２００９／０８０８８５号、同第２００９／０８０８８６号、同第２００９／０８０８８７号、同第２００９／０８０８８８号、及び同第２０１１／１１０７４０号に全般的に示されている。
【００４７】
中間コンテナーのチャネルセクションに配置された障壁３０は、中間コンテナーのチャネルセクション内にある場合、廃棄物が障壁３０を通過して搬送パイプ１００に向かって移動するのを本質的に阻止する。この場合、廃棄物ｗはコンパクト化される、すなわち、吸引と交換空気流との組合せ作用により、障壁３０に対してまとめて圧縮される。圧縮の結果として、実施形態及び廃棄物の性質に応じて、中間コンテナー内の廃棄物の体積が大幅に減少する。或る場合では、コンパクト化された廃棄物ｃｗの体積は、コンパクト化前の体積に比べて３０％〜５０％減少する。廃棄物がコンパクト化される場合、物質の搬送方向においてコンパクト化された廃棄物ｃｗの後に続けて、更なる廃棄物ｗを中間コンテナー内に供給することができる。この場合、搬送パイプの方向から中間コンテナー内部への吸引は通常は作用せず、その代わりに、廃棄物は、主に重力の作用により、投入コンテナーから中間コンテナー内に供給される。図の実施形態では、さらに、障壁手段３０が第１の位置にあり、物質が搬送パイプ１００内に移動するのを阻止する。
【００４８】
空気圧式パイプ搬送システムの他のコンテナーの中身を取り出すように該システムの部分真空発生器の吸引がオンにされる場合、弁６は閉鎖位置に配置され、この場合、交換空気は図７ｅの投入点から中間コンテナーに入り込むことも、先に進めて中間コンテナーを介して搬送パイプ１００に入り込むこともない。この場合、図の中間コンテナー内にある物質は、中間コンテナーに残留し、搬送パイプ１００内に移動しない。この場合、さらに、障壁手段３０が第１の位置にある。弁６が閉鎖位置にある場合、投入開口２を介してまた更なる廃棄物を投入点の投入コンテナー１０内に供給することができる。供給される量は、投入点の投入コンテナーの容積に依拠する。図では、未圧縮の廃棄物ｗは概略的なボールとして示されており、そのそれぞれは廃棄物を詰めた廃棄物袋を示すことができる。圧縮した廃棄物ｃｗは、図では上記ボールよりも小さい物体として示されている。
【００４９】
図に係る本発明の実施形態に示すように、中間コンテナーには水平チャネルセクション２２が配置される。この場合、重力により中間コンテナーの始端に搬送された物質、すなわち鉛直チャネルセクション２０内に搬送され、それに続いて湾曲チャネルセクション２１内に搬送された物質は、搬送パイプの方向から中間コンテナー内部への負圧作用と、それに応じて投入点の方向からの交換空気とをもたらすことにより、水平セクション内を搬送される。この場合、廃棄物は、これらの組合せ作用により、障壁手段３０に向かって及び／又は搬送パイプ１００に向かって水平部分内を搬送される。
【００５０】
水平チャネルセクションは、とりわけ、例えば障壁手段が物質搬送方向において投入点の投入開口又は投入コンテナーから所望の距離を置く配置構成により、従来の鉛直の中間コンテナーに比べて中間コンテナーのサイズを容易く大幅に増大させることができるという利点を、本発明に係る装置に提供する。
【００５１】
本発明の１つの実施形態によれば、中間コンテナーのチャネルセクション内に複数の障壁手段を配置することができる。図１３は、明確さのために、１つのみの投入点１を示している。投入点１には、中間コンテナーとして使用することができるチャネルセクション２０、２１、２２がある。チャネルセクション２２には２つの障壁手段３０、３０’が配置されている。２つの障壁手段３０、３０’は、第１の投入点の中間コンテナーのチャネル空間２２内で、物質搬送方向において互いから或る距離を置いて配置されている。中間コンテナーの長さ及び／又は廃棄物の種類の性質によって要求される場合、これよりも多くの障壁手段３０、３０’が存在することができる。本発明の一実施形態によれば、中間コンテナーのチャネルセクション２２内の第１の障壁手段３０付近に、少なくとも１つの第２の交換空気ダクト１６、１７、１７’が配置される。図１３の実施形態のこの交換空気ダクトは、投入点１３を始点として、例えば開口１６を介して投入点１３の筐体１３の内部を始点として構成される。交換空気ダクトセクション１７’は、第１の障壁手段３０の設置深部１８と第２の障壁手段３０’の設置深部１８’との間に配置される。障壁手段は、設置深部１８、１８’において、交換空気ダクト１７、１７’から中間コンテナーのチャネルセクション内の障壁手段付近への媒体接続部を形成することができるように配置される。図の実施形態では、各障壁手段３０、３０’は、パイプセクション３２、３２’とともに中間コンテナーのチャネルセクションに配置される。パイプセクション３２、３２’は、適用現場によって要求される連結具を用いてチャネルセクション２２、２２’に固定される。以下、図１６ａ〜図１６ｇに関連して図１３の障壁手段の動作原理を示す。
【００５２】
図１６ａ〜図１６ｇは、２つの障壁手段３０、３０’を備える本発明の一実施形態を示している。２つの障壁手段３０、３０’は、第１の投入点の中間コンテナーのチャネル空間２２内で、物質搬送方向において互いから或る距離を置いて配置されている。中間コンテナーの長さ及び／又は廃棄物の種類の性質によって要求される場合、これよりも多くの障壁手段３０、３０’が存在することができる。本発明の一実施形態によれば、中間コンテナーのチャネルセクション２２内の第１の障壁手段３０付近に、少なくとも１つの第２の交換空気ダクト１６、１７、１７’が配置される。図１６ａ〜図１６ｇの実施形態のこの交換空気ダクトは、投入点１を始点として、例えば開口１６を介して投入点１の筐体１３の内部を始点として構成される。交換空気ダクトセクション１７’は、第１の障壁手段３０の設置深部１８と第２の障壁手段３０’の設置深部１８’との間に配置される。障壁手段は、設置深部１８、１８’において、交換空気ダクト１７、１７’から中間コンテナーのチャネルセクション内の障壁手段付近への媒体接続部を形成することができるように配置される。図の実施形態では、各障壁手段３０、３０’は、パイプセクション３２、３２’とともに中間コンテナーのチャネルセクションに配置される。パイプセクション３２、３２’は、適用現場によって要求される連結具を用いてチャネルセクション２２、２２’に固定される。
【００５３】
障壁手段３０、３０’には弁手段３１、３１’が配置され、この弁手段３１、３１’は、第２の交換空気ダクト１７、１７’から中間コンテナーのチャネルセクション２２、２２’への媒体接続部を開放する。以下、図１６ａ〜図１６ｇを参照して本装置の動作を説明する。この場合では、複数の障壁手段、図では２つの障壁手段３０、３０’が、第１の投入点の中間コンテナーのチャネルセクション２２（Ｉ）（図では符号２２のみを用いている）内で、投入点１と搬送パイプ１００との間にあるチャネルセクションでの物質搬送方向において互いから或る距離を置いて配置されている。
【００５４】
図１６ａは、搬送を意図されるとともに本発明に係る装置において取り扱われることが意図される廃棄物ｗが、投入点１の投入開口２から供給された動作状態を示している。図１６ａでは、投入コンテナー１０から供給された廃棄物ｗは、主に重力により、中間コンテナー内のチャネルセクション２０、２１内に既に移動している。図１６ａの動作状態では、投入コンテナーの中身は、中間コンテナーのチャネルセクション２０内に取り出されている。
【００５５】
線ｓに沿った本装置の図式的な概略断面図を示す図１６ｂによれば、２つの投入点１が並んで配置される。これらの２つの投入点１は、例えば異なる種類の廃棄物用として意図するか、又は例えば収容能力を増大させることを意図することができる。
【００５６】
図１６ｃは、廃棄物用空気圧式パイプ搬送システムの部分真空発生器の吸引が、搬送パイプ１００から中間コンテナーのチャネルセクション内部に作用可能である動作状態を示している。この場合、投入点１（１０１）から中間コンテナー２０、２１、２２内に移動した廃棄物ｗは、中間コンテナー内を搬送パイプ１００に向かって移動する。廃棄物は第１の障壁３０に向かって移動可能であり、第１の障壁３０は、中間コンテナーのチャネルセクションにあり、廃棄物ｗが障壁３０を通過して搬送パイプ１００に向かって移動するのを本質的に阻止する。この場合、廃棄物ｗはコンパクト化される、すなわち、吸引と交換空気流との組合せ作用により、障壁３０に対してまとめて圧縮される。圧縮の結果として、実施形態及び廃棄物の性質に応じて、中間コンテナー内の廃棄物の体積が大幅に減少する。或る場合では、コンパクト化された廃棄物ｃｗ１の体積は、コンパクト化前の体積に比べて３０％〜５０％減少する。図１６ｃの状況では、コンパクト化された廃棄物ｃｗ１の体積は、コンパクト化前の廃棄物ｗの体積のおおよそ５０％である。
【００５７】
図１６ｄは、第１の障壁手段３０が第１の位置にある動作状態を示している。この動作状態では、第１の障壁手段は、中間コンテナーのチャネル部内に延出している。この場合、先行するフェーズにおいてコンパクト化された物質ｃｗの後に続けて、取り扱われる更なる物質ｗを中間コンテナー内に供給することができる。
【００５８】
廃棄物が第１の障壁手段に対してコンパクト化された場合、物質搬送方向においてコンパクト化された廃棄物ｃｗの後に続けて、更なる廃棄物ｗを中間コンテナー内に供給することができる。これは図１６ｄに示されている。この場合、搬送パイプの方向から中間コンテナー内部への吸引は通常は作用せず、その代わりに、廃棄物は、主に重力の作用により、投入コンテナーから中間コンテナー内に供給される。図の実施形態では、さらに、障壁手段３０、３０’が第１の位置にあり、物質が搬送パイプ１００内に移動するのを阻止する。
【００５９】
図１６ｅは、第１の障壁手段が、第２の位置、すなわち第１の障壁手段がチャネル空間２２内に延出しない位置に移動された状況を示している。吸引が物質搬送パイプからチャネル空間内部に作用するように接続され、交換空気が物質投入点の方向から作用可能である場合、物質は、搬送パイプに向かって第２の障壁手段３０’に対して移動し、更にコンパクト化される。交換空気は、場合によっては第１の障壁手段に接続して構成された交換空気ダクト３３からも進入し、コンパクト化の効率を高め得る。ここで、かなりの量の物質が、投入点の中間コンテナーとして機能するチャネルセクション内に収まるようにコンパクト化される。
【００６０】
次に、図１６ｆによれば、先行してコンパクト化された物質ｃｗの後に続けて、更なる物質ｗを投入点１から中間コンテナーとして機能するチャネルセクション内に供給することができる。充分な量の物質が投入点から供給された場合、又は、中間コンテナーの中身を搬送パイプ内に取り出すことが別様に望まれる場合、第２の障壁手段３０’は、チャネルセクション内にもはや延出しない第２の位置に移動され、搬送パイプからチャネルセクション２２内部に作用するように吸引がオンにされるとともに、投入点の方向からチャネル２０、２１、２２内への交換空気通路が開放される。同時に、交換空気が、障壁手段に接続して構成された交換空気通路３３、３３’から、中間コンテナーとして機能するチャネルセクション内に導かれる。物質は、チャネルセクションから搬送パイプ内に移動する。
【００６１】
図１６ｇの動作状態では、システムの投入点１の投入コンテナー及び／又は中間コンテナー２０、２１、２２内に収集された廃棄物ｗ、ｃｗを搬送パイプ１００内に搬送することが望まれる。この場合、弁６は開放され、障壁手段３０、３０’は中間コンテナーのチャネル空間から退けられている。この場合、廃棄物は、吸引と交換空気流との組合せ作用により、搬送空気流とともに中間コンテナー１０から搬送パイプ１００に向かって移動し、搬送パイプに沿って空気圧式廃棄物搬送システムの送出端に向かって移動する。
【００６２】
搬送パイプの手前の中間コンテナー２０、２１、２２、２２’、２０（Ｉ）．．．２２（ＩＶ）には、少なくとも１つの障壁手段３０、３０’が配置されている。図の実施形態では、障壁手段は、中間コンテナーのチャネル空間内に延出する部材である。この部材は、物質が吸引及び交換空気流により障壁手段３０に対して中間コンテナーのチャネル空間内を搬送される場合、物質ｗの力作用の少なくとも一部を受けるようになっている。障壁手段は、空気流が通過するか又は通り抜けるのを可能にするようになっている。
【００６３】
交換空気ダクトの入口開口３３をチャネル内の障壁手段付近に配置することにより、障壁手段がチャネル空間から第２の位置に配置され、搬送パイプ側からの吸引がオンにされた場合の、障壁手段の地点から搬送パイプ１００に向けての物質の移動効率を高めることができる。同時に、交換空気も開口３３を介してチャネル空間に進入する。
【００６４】
本発明の１つの実施形態によれば、物質の成形機、通常は回転成形機、すなわちフォーマッターが障壁手段として利用される。この場合、廃棄物は、回転成形機のハンドリング手段が回転していない状況において、物質搬送配管の弁を開放することによって予圧縮することができる。この場合、廃棄物は、中間コンテナー側から回転成形機を通って搬送配管１００側に大幅に移動することはないが、その代わりに、物質のサイズが大幅に圧縮される。この場合、物質の体積は、例えば３０％〜７０％減少する。この予圧縮フェーズにおいて回転成形機を通過し得た物質は、例えば、搬送システムの物質送出端にある混合廃棄物団内に導くことができる。回転成形機及びその動作は、国際公開第２０１１／０９８６６６号、同第２０１１／０９８６６７号、同第２０１１／０９８６６８号、及び同第２０１１／０９８６６９号により詳細に示されている。
【００６５】
投入点１の筐体１３には投入開口２が形成される。この筐体は、物質を投入点の投入コンテナー内に供給するための投入点の外壁と、交換空気を筐体の内部に導くための開口１４とを形成する。交換空気は、図１６ｃに示すように、格子型の開口１４を通過して筐体の内部に入り、いくつかの実施形態の投入点では、頂部を介してコンテナー１０内に循環する。
【００６６】
この場合、放出弁５０はしばらくの間開放され、重力により中間コンテナー内に搬送された物質が、障壁手段３０に対して圧縮される。通常、放出弁は、適用現場に応じて例えば５秒間〜１０秒間開放される。
【００６７】
図１４の投入点は、筐体１３と、筐体１３に構成された第１の投入開口２とを有する。駆動装置４、５によって駆動される開閉可能ハッチ３は、第１の投入開口と接続して構成される。第２の遮断手段６’及びその駆動手段７、８は、筐体の内部に配置される。第２の遮断手段６’は、ヒンジ結合点９に対して枢動することが可能なように投入コンテナーの頂部に配置される。第２の遮断手段６’は、少なくとも２つの位置、すなわち、第２の遮断手段６’が投入コンテナー１０への通路を閉鎖する第１の位置と、投入コンテナーへの通路が開放される第２の位置とを有する。搬送を意図される物質を図の実施形態による投入点１の投入コンテナー１０内に供給することができるようにするためには、ハッチ３及び第２の遮断手段６’の双方が開放位置になければならない。
【００６８】
図１４の投入点には、投入コンテナー１０がある。投入コンテナー１０のチャネルには、内側に狭窄する地点１０’がある。その目的は、とりわけ、投入コンテナーの物質チャネルをテーパー状にすることにより、大きすぎる物体が投入点の投入コンテナー内に供給されるのを阻止することである。図の実施形態では、投入コンテナー１０の狭窄地点１０’と同じ側の壁には、別個の交換空気弁６０が配置されており、また、物質供給方向において狭窄地点の後にある壁セクション１０’’の内側に、投入コンテナーの最も狭い地点から外側に拡大するチャネルが構成されている。
【００６９】
別個の交換空気弁６０は、より詳細にはコンパクト化に関して用いられるようになっている。この場合、投入コンテナー及び先に進めて中間コンテナーのチャネル部への交換空気通路６３は、交換空気弁の駆動装置６２により駆動される遮断手段６１によって開放される。この場合、交換空気は、投入点の筐体１３の開口１４を通って、先に進めて筐体の内部に配置された交換空気弁によって開放される通路６３を介して物質搬送チャネルに入り、中間コンテナーとして機能するチャネル部２０、２１、２２内に進むことができる。搬送パイプ１００から、空気圧式物質搬送システムの部分真空発生器の吸引が作用し、この場合、中間コンテナー内の物質は、障壁３０を用いて、すなわち障壁３０に対してサイズが圧縮される。物質は、その種類に応じて、サイズをその元の体積から例えば３０％〜５０％圧縮することができる。交換空気弁は、圧縮に必要な時間、開放位置に維持される。圧縮に必要な時間は、適用現場に応じて変動する可能性がある。圧縮のための弁の開放はかなり短い時間で充分、例えば２秒〜１０秒、好ましくは２秒〜５秒で充分とすることができる。交換空気弁のサイズは、遮断弁の断面積又は物質の搬送に用いられるチャネルセクションの断面積よりも大幅に小さくすることができる。この場合、達成される１つの利点は、とりわけ、物質が最適に、例えばチャネル部又はチャネル部内の物質自体に過度にきつく詰め込まれないようにコンパクト化される、すなわちサイズが圧縮されることである。交換空気弁のサイズが小さいことにより、複数の大型中間コンテナーを同時にコンパクト化することも可能になる。この場合、時間及びエネルギーの節減が達成される。１つの実施形態によれば、中間コンテナーのチャネルセクション２０内に供給された物質が同時にコンパクト化される。同様に、中間コンテナーのチャネルセクション内に収集された物質のコンパクト化は、他の搬送用の吸引とともに一部を行うことができる。
【００７０】
１つの実施形態による試験では、直径３５０ｍｍのパイプにおいて、直径８０ｍｍの交換空気用吸引開口を用いた。これは好適であると証明された。この場合、混合廃棄物を数秒で５０％圧縮することが可能であった。
【００７１】
小さい交換空気弁６０は、物質の搬送に際してパイロット弁として用いることもできる。この場合、まず別個の交換空気弁６０が開放され、その後にのみより大きい遮断弁６、６’、５０が開放される。この場合、圧力による衝撃と、生じ得る騒音問題とが回避される。
【００７２】
投入点の交換空気弁６０により、物質の移動の開始を調節することができる。この場合、搬送パイプ１００側から吸引が作用するとき、投入点の交換空気弁６０を開閉することにより、各投入コンテナーの物質の移動の開始に作用を与えることができる。搬送パイプ１００側から吸引が作用していても、投入点の交換空気弁が開放されていない限り、特に障壁３０が第１の位置にある場合、物質は中間コンテナー内でほとんど移動しない。
【００７３】
したがって、本発明は、空気圧式廃棄物搬送システムのチャネルセクション内に廃棄物を供給するとともに、チャネルセクションにおいて廃棄物を取り扱う方法に関する。本方法では、廃棄物又はリサイクル可能物質は、物質用空気圧式パイプ搬送システムの投入点１の少なくとも２つの投入点１の投入開口２から投入コンテナー１０内に供給され、先に進めて投入コンテナーと物質搬送パイプ１００との間にあるチャネルセクション２０、２１、２２に供給され、物質は、搬送空気とともに、チャネルセクション２０、２１、２２から物質搬送パイプ１００を介して空気圧式物質搬送システムの送出端に搬送され、送出端において、物質は搬送空気から分離される。本方法では、少なくとも１つの第２の投入点のチャネルセクション２０（ＩＩ）、２０（ＩＩＩ）、２０（ＩＶ）...２２（ＩＩ）、２２（ＩＩＩ）、２２（ＩＶ）は、投入点１と障壁手段３０、３０’との間で１つの第１の投入点のチャネルセクション２０（Ｉ）、２１（Ｉ）、２２（Ｉ）に接続される。本方法では、供給される物質ｗ、ｗ１、ｗ２、ｗ３、ｗ４の少なくとも一部は、物質が廃棄物用空気圧式搬送システムの送出端に搬送される前に、チャネルセクション２０（Ｉ）、２１（Ｉ）、２２（Ｉ）...２０（ＩＶ）、２１（ＩＶ）、２２（ＩＶ）内での吸引と交換空気との組合せ作用により、搬送パイプ１００と取り扱われる物質ｗ、ｗ１、ｗ２、ｗ３、ｗ４との間に配置された障壁３０を用いて、すなわち障壁に対して、搬送される物質ｗ、ｗ１、ｗ２、ｗ３、ｗ４の少なくとも一部がサイズを圧縮されることで作用を受ける。
【００７４】
１つの実施形態によれば、本方法では、中間コンテナーとして機能することを意図されるチャネルセクション２０（Ｉ）、２１（Ｉ）、２２（Ｉ）．．．２０（ＩＶ）、２１（ＩＶ）、２２（ＩＶ）内に供給される物質ｗ１、ｗ２、ｗ３、ｗ４の少なくとも一部が、必要な場合、搬送パイプ１００の方向から、中間コンテナーとして機能することを意図されるチャネルセクション２０（Ｉ）、２１（Ｉ）、２２（Ｉ）．．．２０（ＩＶ）、２１（ＩＶ）、２２（ＩＶ）内の、空気圧式部分真空発生器の吸引側への通路を開放することと、物質ｗ１、ｗ２、ｗ３、ｗ４とは反対側からの交換空気通路用の通路を開放することとによって作用を受ける。
【００７５】
１つの実施形態によれば、物質ｗ１、ｗ２、ｗ３、ｗ４は、投入点１と物質搬送パイプ１００との間に配置された中間コンテナーのチャネルセクション２０（Ｉ）、２１（Ｉ）、２２（Ｉ）．．．２０（ＩＶ）、２１（ＩＶ）、２２（ＩＶ）内で作用を受け、少なくとも１つの投入点のチャネルセクション２０（Ｉ）、２１（Ｉ）、２２（Ｉ）は、少なくとも一部が、鉛直方向から本質的に逸脱する方向に移動する方向に、好ましくは本質的に水平な方向に延びるように配置される。
【００７６】
１つの実施形態によれば、物質ｗ１、ｗ２、ｗ３、ｗ４は、各投入点１、１０１、１０２、１０３、１０４からチャネルセクション２０（Ｉ）、２１（Ｉ）、２２（Ｉ）．．．２０（ＩＶ）、２１（ＩＶ）、２２（ＩＶ）内に供給され、このチャネルセクションは、投入点から供給される物質の中間コンテナーであり、物質は、中間コンテナーにおいて段階的に作用を受ける。この場合、第１のフェーズにおいて、物質は、主に重力により、投入点１の投入開口２から中間コンテナーとして機能するチャネルセクション２０（Ｉ）、２１（Ｉ）、２２（Ｉ）．．．２０（ＩＶ）、２１（ＩＶ）、２２（ＩＶ）内に供給される。第２のフェーズにおいて、物質は、障壁３０、３０’に対してチャネルセクション内を搬送されるとともに、吸引と交換空気との組合せ作用により圧縮される。第３のフェーズにおいて、場合によっては更なる物質が、重力により、投入点の投入開口から中間コンテナーとして機能するチャネル部内に供給される。第４のフェーズにおいて、中間コンテナー内にある物質ｗ、ｗ１、ｗ２、ｗ３、ｗ４及び／又は圧縮された物質ｃｗ、ｃｗ１、ｃｗ２、ｃｗ４が、吸引と交換空気との組合せ作用によりチャネルセクション２０（Ｉ）、２１（Ｉ）、２２（Ｉ）．．．２０（ＩＶ）、２１（ＩＶ）、２２（ＩＶ）から搬送配管１００内に搬送され、先に進めて空気圧式物質搬送システムの物質送出端に向かって搬送されるように、障壁は作用を受ける。
【００７７】
１つの実施形態によれば、物質ｗ、ｗ１、ｗ２、ｗ３、ｗ４を圧縮する場合及び／又は物質搬送フェーズにおいて、例えば弁６又は別個の交換空気弁６０を或る所定の時間開放することにより、交換空気の進入が可能にされる。
【００７８】
１つの実施形態によれば、少なくとも物質を圧縮する場合、及び／又は、少なくとも物質搬送フェーズの開始フェーズにおいて、交換空気の通路６３は開放される。この通路の流れ開口は、空気圧式物質搬送システムの部分真空発生器の吸引作用の始点となるチャネル部の流れ断面積よりも小さい。
【００７９】
１つの実施形態によれば、投入点１と物質搬送パイプ１００との間には、複数の障壁３０、３０’があり、複数の障壁３０、３０’は、物質搬送方向において互いから或る距離を置いている。この場合、物質は、まず投入点に近い方の第１の障壁３０まで給送され、第１の障壁を用いて、すなわちこの障壁に対して物質が圧縮される。その後、投入点に近い方の第１の障壁３０が、中間コンテナーのチャネルセクション内に延出しない位置に配置され、物質が第２の障壁３０’に搬送され、投入点１から遠い方の第２の障壁３０’を用いて、すなわち当該障壁に対して物質が圧縮される。
【００８０】
１つの実施形態によれば、物質が障壁の地点から搬送パイプに向かって搬送される場合、障壁３０、３０’の近位に交換空気がもたらされる。
【００８１】
１つの実施形態によれば、物質ｗ１．．．ｗ４は、サイズがその元の体積から３０％〜７０％圧縮される。
【００８２】
１つの実施形態によれば、障壁３０、３０’に接続して交換空気弁３１が構成される。この弁は、少なくとも物質が搬送パイプ１００に向かって搬送される位置に障壁３０、３０’が配置されている場合、交換空気のチャネル部内への進入を可能にする。
【００８３】
１つの実施形態によれば、中間コンテナーとして機能するチャネルセクション２０、２１、２２は、地表面ｓからおおよそ１メートル〜２．５メートルの深さに設置されるように構成される。
【００８４】
１つの実施形態によれば、複数の投入点が存在する。この場合、第１のフェーズにおいて、物質ｗは、主に重力により、第１の投入点から及び／又は少なくとも１つの他の投入点から、物質の中間コンテナーである各投入点のチャネルセクション２０（Ｉ）、２１（Ｉ）、２２（Ｉ）...２０（ＩＶ）、２１（ＩＶ）、２２（ＩＶ）内に供給され、物質は、中間コンテナー内で段階的に作用を受ける。第２のフェーズにおいて、物質は、障壁３０、３０’に対してチャネルセクション内を搬送されるとともに、吸引と交換空気との組合せ作用により圧縮される。第３のフェーズにおいて、場合によっては更なる物質が、重力により、投入点の投入開口から中間コンテナーとして機能するチャネル部内に供給される。第４のフェーズにおいて、中間コンテナー内にある物質ｗ、ｗ１、ｗ２、ｗ３、ｗ４及び／又は圧縮された物質ｃｗ、ｃｗ１、ｃｗ２、ｃｗ３、ｃｗ４が、吸引と交換空気との組合せ作用によりチャネルセクション２０（Ｉ）、２１（Ｉ）、２２（Ｉ）...２０（ＩＶ）、２１（ＩＶ）、２２（ＩＶ）から搬送配管１００内に搬送され、先に進めて空気圧式物質搬送システムの物質送出端に向かって搬送されるように、障壁は作用を受ける。
【００８５】
１つの実施形態によれば、物質は、中間コンテナーとして機能するチャネル部から搬送パイプ内に搬送され、必要であればいつでも、先行して搬送された物質の後で、チャネル部及び／又は搬送パイプを清掃する別の物質種類が時々搬送される。
【００８６】
１つの実施形態によれば、先行して搬送される物質種類が混合廃棄物ｗ１である場合、次に搬送される物質種類が紙ｗ２である。先行して搬送される物質種類が生物分解性廃棄物ｗ３である場合、次に搬送される物質種類は板紙ｗ４又は紙ｗ２又は混合廃棄物ｗ１である。先行して搬送される物質種類が板紙ｗ４である場合、次に搬送される物質種類は混合廃棄物ｗ１又は紙ｗ２である。
【００８７】
１つの実施形態によれば、まず、第１の投入点の中間コンテナーとして機能するチャネルセクション２０（Ｉ）、２１（Ｉ）、２２（Ｉ）からの物質が、搬送パイプ内に取り出される。次に、或る他の投入点又は複数の投入点の中間コンテナーとして機能するチャネルセクション２０（ＩＩ）、２０（ＩＩＩ）、２０（ＩＶ）...２２（ＩＩ）、２２（ＩＩＩ）、２２（ＩＶ）からの物質が、最も好適には連続して、中間コンテナーとして機能するチャネルセクションから搬送パイプに向かっての物質の取出しが完了するまで取り出される。
【００８８】
１つの実施形態によれば、障壁は、別個の障壁手段３０、３０’である。別個の障壁手段３０、３０’は、少なくとも２つの位置間、すなわち、障壁手段３０、３０’がチャネルセクションのチャネル空間内に延出する第１の位置と、障壁手段がチャネルセクションのチャネル空間内に本質的に延出しない第２の位置との間で移動することができ、チャネル空間内の交換空気流がこの障壁を通り抜けるか若しくは通過する。又は、障壁は、物質の成形機等の別の手段、例えば回転成形機であり、そのハンドリング手段は、物質の成形機が障壁として用いられる場合、チャネルセクション２２から搬送パイプ１００に向かって物質を供給しない。
【００８９】
本発明はまた、空気圧式廃棄物搬送システムのチャネルセクション内に廃棄物を供給するとともに、チャネルセクションにおいて廃棄物を取り扱う装置に関する。本装置は、物質用空気圧式パイプ搬送システムの少なくとも２つの投入点１を備え、投入点のそれぞれが、投入コンテナー１０への、及び先に進めて投入コンテナーと物質搬送パイプ１００との間に配置されたチャネルセクション２０、２１、２２への投入開口２を有する。このチャネルセクションは、中間コンテナーとして機能するようになっており、物質は、中間コンテナーから物質搬送パイプ１００を介して空気圧式廃棄物搬送システムの送出端に搬送されるようになっており、送出端において物質が搬送空気から分離される。この装置は搬送パイプ１００に接続することができ、部分真空発生器の吸引側は、搬送パイプ１００内部に作用するように接続することができる。本装置は少なくとも１つの障壁３０を備え、少なくとも１つの障壁３０は、投入点１と搬送パイプ１００との間で各投入点のチャネルセクション２０（Ｉ）、２１（Ｉ）、２２（Ｉ）...２０（ＩＶ）、２１（ＩＶ）、２２（ＩＶ）に配置することができる。この障壁は、物質の少なくとも大部分を停止させるようになっている。また、この障壁は、チャネルセクション２０（Ｉ）、２１（Ｉ）、２２（Ｉ）...２０（ＩＶ）、２１（ＩＶ）、２２（ＩＶ）において、吸引と交換空気との組合せ作用により、障壁３０を用いて、すなわち障壁に対して、搬送を意図される物質ｗの少なくとも一部のサイズの圧縮を達成することができるように、且つ少なくとも１つの第２の投入点のチャネルセクション２０（ＩＩ）、２０（ＩＩＩ）、２０（ＩＶ）...２２（ＩＩ）、２２（ＩＩＩ）、２２（ＩＶ）が、投入点１と障壁手段３０、３０’との間で１つの第１の投入点のチャネルセクション２０（Ｉ）、２１（Ｉ）、２２（Ｉ）に接続されるように、空気流が通過するか又は通り抜けることを可能にするようになっている。
【００９０】
１つの実施形態によれば、障壁手段３０は、投入点と第１の投入点のチャネルセクション２０（Ｉ）、２１（Ｉ）、２２（Ｉ）との間で、少なくとも１つの第２の投入点のチャネルセクション２０（ＩＩ）、２０（ＩＩＩ）、２０（ＩＶ）...２２（ＩＩ）、２２（ＩＩＩ）、２２（ＩＶ）に配置される。
【００９１】
１つの実施形態によれば、第１の投入点のチャネルセクション２０（Ｉ）、２１（Ｉ）、２２（Ｉ）は、物質搬送方向における長さが、１つの第２の投入点のチャネルセクション２０（ＩＩ）、２０（ＩＩＩ）、２０（ＩＶ）...２２（ＩＩ）、２２（ＩＩＩ）、２２（ＩＶ）の物質搬送方向における長さよりも本質的に長いようになっている。
【００９２】
１つの実施形態によれば、本装置は、チャネルセクション２０、２１、２２から空気圧式部分真空発生器の吸引側への接続部を開閉する手段、及び／又は、交換空気を投入点と物質ｗとの間にあるチャネルセクション内に調節して導く交換空気手段６’、６０を備える。この手段は、交換空気用通路を開閉するようになっている。
【００９３】
１つの実施形態によれば、本装置は、投入点１と物質搬送パイプ１００との間に配置されたチャネルセクション２０、２１、２２を有し、チャネルセクションは、鉛直方向から逸脱しているチャネルセクション、例えば中間コンテナーとして機能する主に水平なチャネルセクションを含む。
【００９４】
１つの実施形態によれば、中間コンテナーの容積は、投入点１からの障壁３０の距離によって決まる。
【００９５】
１つの実施形態によれば、投入点１と物質搬送パイプとの間には、物質搬送方向において互いから或る距離を置いた複数の障壁３０、３０’が配置される。
【００９６】
１つの実施形態によれば、本装置は、障壁３０、３０’付近に交換空気をもたらす手段１７、１８、３１、３３を備える。
【００９７】
１つの実施形態によれば、障壁３０、３０’に接続して交換空気弁３１が構成され、この弁は、開放している場合、障壁の地点又は障壁の近位からチャネル部内への交換空気の進入を可能にする。
【００９８】
１つの実施形態によれば、本装置は放出弁６を備え、放出弁６は、投入点の投入開口２と、中間コンテナーとして機能するチャネルセクションとの間に配置される。
【００９９】
１つの実施形態によれば、本装置は、第１の投入点のチャネルセクションの障壁３０、３０’と搬送パイプ１００との間に配置される放出弁５０を備える。
【０１００】
１つの実施形態によれば、本装置は遮断手段６’を備え、遮断手段６’は、投入点１の投入コンテナー１０と、投入点の供給開口２との間に配置される。
【０１０１】
１つの実施形態によれば、投入コンテナー１０への、及び／又は中間コンテナーとして機能するチャネルセクション２０、２１、２２への交換空気の通路６３を開閉する交換空気弁６０が、投入点１に配置される。
【０１０２】
１つの実施形態によれば、交換空気用通路６３の流れ開口は、空気圧式物質搬送システムの部分真空発生器の吸引作用の始点となるチャネル部の流れ断面積よりも小さい。
【０１０３】
１つの実施形態によれば、中間コンテナーとして機能するチャネルセクション２０、２１、２２は、地表面ｓからおおよそ１メートル〜２．５メートルの深さに設置されるように配置される。
【０１０４】
１つの実施形態によれば、障壁は別個の障壁手段３０、３０’である。別個の障壁手段３０、３０’は、少なくとも２つの位置間、すなわち、障壁手段３０、３０’がチャネルセクションのチャネル空間内に延出する第１の位置と、障壁手段がチャネルセクションのチャネル空間内に本質的に延出しない第２の位置との間で動かすことができる。チャネル空間内の交換空気流は、この障壁を通り抜けるか又は通過するようになっている。
【０１０５】
１つの実施形態によれば、障壁は、物質の成形機等の物質ハンドリング装置、例えば回転成形機であり、そのハンドリング手段は、物質の成形機が障壁として使用される場合、チャネルセクション２２から搬送パイプ１００に向かって物質を供給しない動作状態にある。
【０１０６】
本発明の目的はまた、上述した特徴部のいずれかに係る装置又は請求項１７〜３３のいずれか１つに記載の装置を備える廃棄物搬送システムである。
【０１０７】
通常、物質は、袋に詰められた廃棄物等の廃棄物である。投入点及び中間コンテナーは、空気圧式廃棄物搬送システムの一部になっていることもできるし、内部で廃棄物を廃棄物室、廃棄物コンテナー、又は相当物へと導く別個の部分とすることもできる。
【０１０８】
図１〜図８の実施形態は、４つの物質種類ｗ１、ｗ２、ｗ３、ｗ４用の投入点を備える投入ステーションを示している。それらの種類のうちの第１の物質種類ｗ１（図では混合廃棄物）は、１つの場合では廃棄物合計量の約５０重量％の範囲にある。廃棄物合計量において、第２の物質種類ｗ２（図では紙）は約２５重量％、第３の物質種類ｗ３（生物分解性廃棄物）は約１０重量％、第４の物質種類ｗ４（板紙）は１５重量％、生物分解性廃棄物は１０重量％である。異なる物質種類は、異なるサイズの中間コンテナーを必要とする。物質種類は、異なる方法でサイズが圧縮される。第１の物質種類ｗ１はおおよそ約５０％、第２の物質種類ｗ２（紙）は約３０％、第４の物質種類（板紙）は約５０％、そして第３の物質種類（生物分解性廃棄物）はほんの僅か（略０％）であり、この場合、第３の物質種類は圧縮すなわちコンパクト化するに値しない。
【０１０９】
中間コンテナーのサイズは、廃棄物の量、密度、及び圧縮率によって決まる。混合廃棄物（一部の国ではリサイクル可能廃棄物、プラスチックボトル等）は、一般的に体積基準で最大である物質種類である。しかし、混合廃棄物は、約５０％〜７０％圧縮する、すなわちコンパクト化することができるという性質も有する。実施形態に応じて、この物質種類は一般に、他の物質種類全てをまとめたものと同じ容積、又は更には他の物質種類全てをまとめたものを超える容積を、中間コンテナーに要する。解決策として、本発明に係る構成により、異なる物質種類ごとの異なる容積要件が効果的に達成される。本発明を用いれば、最も容量を必要とする混合廃棄物に関してさえも、１つのみの投入点で対処可能になる。これに対し、従来の使用では、２倍〜３倍の数の投入点が必要である。
【０１１０】
鉛直方向から逸脱する方向にあるチャネルセクションに、連続する２つの障壁手段を備える本発明の一実施形態によれば、容量は大きいが浅い構造が得られる。１つの実施形態によれば、例えば合計で６００リットルの混合廃棄物容量（例えば、鉛直部に２００リットル及び水平部に２×２００リットル）が得られる。
【０１１１】
本発明に係る方法は、廃棄物搬送システムにおいて予圧縮／搬送に専用のサイクルを設けるように用いることもできる。この場合、中間コンテナーとして機能するチャネル部内に導かれた各投入点の廃棄物は、次に例えば１０秒間予圧縮される。この場合、中間コンテナーの廃棄物用容積は、例えば３０％〜５０％増大する。
【０１１２】
圧縮フェーズは、該当投入点の予圧縮又は廃棄物片の投入点の予圧縮が、或る他の投入点又は廃棄物片の搬送中に行われるように構成することができる。
【０１１３】
本発明は上記に示した実施形態に限定されないが、本発明は添付の特許請求の範囲の範囲内で変更することができることは、当業者には明らかである。本明細書において他の特徴と関連して示された可能性のある特徴は、必要な場合、互いと別々に用いることができる。
【図１】
0006483678.tif 000002
【図２】
0006483678.tif 000003
【図３】
0006483678.tif 000004
【図４】
0006483678.tif 000005
【図５】
0006483678.tif 000006
【図６】
0006483678.tif 000007
【図７】
0006483678.tif 000008
【図８】
0006483678.tif 000009
【図９】
0006483678.tif 000010
【図１０】
0006483678.tif 000011
【図１１】
0006483678.tif 000012
【図１２】
0006483678.tif 000013
【図１３】
0006483678.tif 000014
【図１４】
0006483678.tif 000015
【図１５】
0006483678.tif 000016
【図１６ａ】
0006483678.tif 000017
【図１６ｂ】
0006483678.tif 000018
【図１６ｃ】
0006483678.tif 000019
【図１６ｄ】
0006483678.tif 000020
【図１６ｅ】
0006483678.tif 000021
【図１６ｆ】
0006483678.tif 000022
【図１６ｇ】
0006483678.tif 000023